(57)【要約】      （修正有）【課題】シンプルな構成でありながら、圧縮荷重がドア枠に作用した時の縦枠の変形を防止する。【解決手段】縦枠は第１部材５と第２部材６を連結してなる。第１部材５は、第１見込辺５０を有し、第１見込辺５０の第２側の端部に先端片５３が形成されており、先端片５３に隣接する第１見込辺の第２側の部位が連結部位５０´となっており、第２部材６は、第２見込辺６０と、第２見込辺６０の第１側の端部から見付方向に延びる見付辺６３と、見付辺６３から見込方向に第１側に延びる第３見込辺６４と、を有し、第１部材５の連結部位５０´に第２部材６の第３見込辺６４が連結され、第２部材６の第２見込辺６０、見付辺６３、第３見込辺６４の上端縁は第１の高さ位置Ｈ１にあり、第１部材５の第１見込辺５０の上端縁は、少なくとも連結部位５０´を含む部位において、第１の高さ位置Ｈ１よりも低い第２の高さ位置Ｈ２にある。【選択図】図６
2014047503.tif 000002
【特許請求の範囲】
【請求項１】
気密部材を装着する溝部を備えたドア枠の縦枠構造において、
前記縦枠は、縦枠の見込方向の第１側部位を構成する第１部材と、縦枠の見込方向の第２側部位を構成する第２部材と、を連結して形成されており、
前記第１部材は、見込方向に延びる第１見込辺を有し、第１見込辺の第２側の端部に前記溝部の第１側面となる先端片が形成されており、前記先端片に隣接する第１見込辺の第２側の部位が連結部位となっており、
前記第２部材は、見込方向に延びる第２見込辺と、第２見込辺の第１側の端部から見付方向に延びる見付辺と、当該見付辺から見込方向に第１側に延びる第３見込辺と、を有し、
前記第１部材と前記第２部材とは、前記第２部材の第３見込辺を、前記先端片を残すようにして第１部材の第１見込辺の前記連結部位に連結することで、連結されており、前記第２部材の第２見込辺の第１側の部位が前記溝部の第２側面、前記見付辺が前記溝部の底面を形成しており、
前記第２部材の第２見込辺、見付辺、第３見込辺の上端縁は第１の高さ位置にあり、前記第１部材の第１見込辺の上端縁は、少なくとも前記連結部位を含む部位において、前記第１の高さ位置よりも低い第２の高さ位置にある、ドア枠の縦枠構造。
【請求項２】
前記第２部材の第２見込辺、見付辺、第３見込辺の下端縁は第３の高さ位置にあり、前記第１部材の第１見込辺の下端縁は、少なくとも前記連結部位を含む部位において、前記第３の高さ位置よりも高い第４の高さ位置にある、ドア枠の縦枠構造。
【発明の詳細な説明】
【技術分野】
【０００１】
本発明は、ドア枠の縦枠構造に係り、詳しくは、左右の縦枠と上下枠を四周状に接続してなるドア枠の縦枠の構造に関するものである。
【背景技術】
【０００２】
建物開口部を開閉するドア装置は、当該開口部を形成するドア枠と、ドア枠に対して回動可能に取り付けられた扉体と、からなる。ドア枠は、水平状の上枠、水平状の下枠、垂直状の左右の縦枠を、これらの枠材の端部同士を互いに溶接等することで四周状に組み立てられている。
【０００３】
通常、ドア枠の各枠は、１枚の板材を所定の断面形状に折り曲げ成形して得られる１部材から構成されるが、ドア枠の見込寸法が大きくなると１枚の板材を用いた所望の成形が困難となる場合があり、各枠を、平面視において見込方向に短い２部材を接続してなるいわゆる繋ぎ枠を用いることがある。図１１には、第１部材５´と第２部材６´とを接続してなる縦枠２´、第１部材７と第２部材８とを接続してなる上枠３が記載されている。第１部材５´と第２部材６´の上端縁は全て一致している。このような繋ぎ枠は、特許文献１にも開示されている。
【０００４】
繋ぎ枠において、２部材の連結は、当該部材の長さ方向に間隔をおいて溶接を施すことで行われる。このような溶接による２部材の連結は、十分な強度をドア枠に付与するものではあるが、建物躯体の開口部を形成するドア枠には圧縮荷重が作用するため、ドア枠の縦枠の連結部位等が圧縮荷重の影響を受ける可能性がある。
【０００５】
したがって、想定以上の圧縮荷重がドア枠に作用した場合であっても、特にドア枠の縦枠が変形しないような手立てを講じておくことが望ましい。繋ぎ枠である縦枠の強度を向上させる手段としては、枠を形成する板材の厚さを大きくする、枠の断面形状に特徴を持たせることで強度を付与する、溶接の間隔を短くする等が考えられるが、これらの手段は、作業性の低下、生産コストの上昇を招くといった不具合がある。
【特許文献１】特開２００４−６０３８１
【発明の開示】
【発明が解決しようとする課題】
【０００６】
本発明は、シンプルな構成でありながら、圧縮荷重がドア枠に作用した時の縦枠の変形を防止することを目的とする。
【課題を解決するための手段】
【０００７】
本発明が採用した技術手段は、
気密部材を装着する溝部を備えたドア枠の縦枠構造において、
前記縦枠は、縦枠の見込方向の第１側部位を構成する第１部材と、縦枠の見込方向の第２側部位を構成する第２部材と、を連結して形成されており、
前記第１部材は、見込方向に延びる第１見込辺を有し、第１見込辺の第２側の端部に前記溝部の第１側面となる先端片が形成されており、前記先端片に隣接する第１見込辺の第２側の部位が連結部位となっており、
前記第２部材は、見込方向に延びる第２見込辺と、第２見込辺の第１側の端部から見付方向に延びる見付辺と、当該見付辺から見込方向に第１側に延びる第３見込辺と、を有し、
前記第１部材と前記第２部材とは、前記第２部材の第３見込辺を、前記先端片を残すようにして第１部材の第１見込辺の前記連結部位に連結することで、連結されており、前記第２部材の第２見込辺の第１側の部位が前記溝部の第２側面、前記見付辺が前記溝部の底面を形成しており、
前記第２部材の第２見込辺、見付辺、第３見込辺の上端縁は第１の高さ位置にあり、前記第１部材の第１見込辺の上端縁は、少なくとも前記連結部位を含む部位において、前記第１の高さ位置よりも低い第２の高さ位置にある、ドア枠の縦枠の構造、である。
１つの態様では、第１部材の他の部位の上端縁は、第１の高さ位置にある。
典型的には、第１部材の連結部位と第２部材の第３見込辺は高さ方向に間隔を設けた複数個所の溶接によって連結される。
【０００８】
１つの態様では、前記第２部材の第２見込辺、見付辺、第３見込辺の下端縁は第３の高さ位置にあり、前記第１部材の第１見込辺の下端縁は、少なくとも第２部材の第３見込辺に連結されている部位（重なっている部位）を含む部位において、前記第３の高さ位置よりも高い第４の高さ位置にある。
１つの態様では、第１部材の他の部位の下端縁は、第３の高さ位置にある。
【発明の効果】
【０００９】
本発明では、第１部材の上端縁の所定部位（少なくとも連結部位を含む部位）を切り欠いて、切り欠き部位の上端縁の高さを他の部位の高さよりも低くすることで、縦枠の上端縁にかかる圧縮荷重を第２部材へ逃がし、第１部材にかかる荷重を軽減し、第１部材の第１見込辺の変形を防止し、もって、第１見込辺の先端の溝部の第１側面を形成する先端片が変形することを可及的に防止する。
【００１０】
さらに、第１部材の下端縁の所定部位（少なくとも連結部位を含む部位）を切り欠いて、切り欠き部位の下端縁の高さを他の部位の高さよりも高くすることで、縦枠の下端縁に下方からかかる反力を第２部材へ逃がし、第１部材にかかる力を軽減し、第１部材の第１見込辺の変形を防止し、もって、第１見込辺の先端の溝部の第１側面を形成する先端片の変形を可及的に防止する。
【図面の簡単な説明】
【００１１】
【図１】ドア装置の縦断面図である。
【図２】ドア装置の横断面図である。
【図３】ドア枠の部分平面図、部分正面図、部分底面図、部分縦断面図、である。
【図４】第１の実施形態に係る縦枠の上方部位、上枠の端部をそれぞれ示す部分斜視図である。
【図５】第１の実施形態に係る縦枠の外方から見た図、内方から見た図、である。
【図６】第１の実施形態に係る縦枠の平面図、縦枠の上方部位の斜視図、縦枠の上方部位を内方から見た図である。
【図７】第１の実施形態に係る縦枠の底面図、縦枠の下方部位を内方から見た図である。
【図８】第２の実施形態に係る縦枠の上方部位、上枠の端部をそれぞれ示す部分斜視図である。
【図９】第２の実施形態に係る縦枠の平面図、縦枠の上方部位の斜視図、縦枠の上方部位を内方から見た図である。
【図１０】第２の実施形態に係る縦枠の底面図、縦枠の下方部位を内方から見た図である。
【図１１】従来の縦枠の上方部位、上枠の端部をそれぞれ示す部分斜視図である。
【発明を実施するための形態】
【００１２】
図１はドア装置の縦断面図、図２はドア装置の横断面図であり、ドア装置は、ドア枠と、ドア枠に対して回動可能に取り付けられた扉体１とからなる。ドア枠は、左右の縦枠２（戸先側縦枠、戸尻側縦枠）と、上枠３と、下枠４から四周枠状に組み立てられる。典型的には、左右の縦枠２の上端を上枠３の長さ方向端部にそれぞれ当接させて当該当接部位を溶接し、左右の縦枠２の下端を下枠４の長さ方向端部にそれぞれ当接させて当該当接部位を溶接する。四周枠状のドア枠を建物の躯体に組み込むことで、当該ドア枠によって建物開口部が形成されている。
【００１３】
ドア枠（左右の縦枠２、上枠３、下枠４）は、室内側に面する見付面と、室外側に面する見付面と、を備えている（下枠４の見付面は、床面内に隠れている）。ドア枠の四周状の見込面によって開口部が画定されている。ドア枠を構成する左右の縦枠２、上枠３、下枠４の見込面は２つの面から段状に形成されており、段差部には各枠の長さ方向に延びる溝部Ｇが形成されており、溝部Ｇには、各枠の長さ方向に延びる長尺状の気密部材Ｓが装着される。ドア装置が閉鎖姿勢にある時に、扉体１の見付面（図示の態様では、室内側面部）の周縁部位が気密部材Ｓに当接して気密性を保持するようになっている。ドア枠は比較的大きい見込寸法を備えており、縦枠２、上枠３は、２部材を連結して形成されている。下枠４は縦枠２、上枠３に対して短尺の見込寸法を備えているが、図示の態様では、２部材を連結して形成されている。
【００１４】
縦枠２は、縦枠２の見込方向の第１側部位（図示の態様では、室内側部位）を構成する第１部材５と、縦枠２の見込方向の第２側部位（図示の態様では、室外側部位）を構成する第２部材６と、の２部材から形成されている。縦枠２は、第１部材の第２側と第２部材６の第１側とを連結して形成されている。本明細書において、「第１側」とは見込方向の一方の側を指し、「第２側」とは見込方向の他方の側（第１側とは反対方向）を指す。また、縦枠２の見込面に対して開口部（扉体１によって開閉される通行部）側を「内方」、開口部と反対側を「外方」と言う。第１部材５、第２部材６は、高さ方向に延びる長尺材であり、以下に述べる、第１部材５、第２部材６を構成する各辺は高さ方向に延びている。
【００１５】
第１部材５は、見込方向に延びる第１見込辺５０と、第１見込辺５０の第１側の端部から見付方向に外方に延びる第１見付辺（縦枠２の室内側見付面を形成する）５１と、第１見付辺５１の端部から第１見込辺５０に離間対向するように折り返した辺５２と、を備えている。第１見込辺５０の第２側の端部を折り返して重ねることで溝部Ｇの第１側面となる先端片５３が形成されている。縦枠２に形成された溝部Gは、第１側面、第２側面、底面から断面視コ字形状を有している。
【００１６】
第２部材６は、見込方向に延びる第２見込辺６０と、第２見込辺６０の第２側の端部から見付方向に外方に延びる第２見付辺（縦枠２の室外側見付面を形成する）６１と、第２見付辺６１の端部から第２見込辺６０に離間対向するように折り返した辺６２と、を備えている。第２見込辺６０の第１側には平面視Ｌ形状の折り曲げ辺が一体形成されており、前記折り曲げ辺は、第２見込辺６０の端部から見付方向に内方に延びる第３見付辺６３と、第３見付辺６３の先端から見込方向に第１側に延びる第３見込辺６４と、からなる。第２部材６の第２見込辺６０の第１側の部位が溝部Ｇの第２側面、第２部材６の第３見付辺６３が溝部Ｇの底面を形成するようになっている。
【００１７】
第１部材５と第２部材６とは、第２部材６の第３見込辺６４を、先端片５３を残すようにして第１部材５の第１見込辺５０の第２側の部位（以下「連結部位５０´」という）の外面に連結することで、一体化されて縦枠２を形成している。すなわち、第１見込辺５０の第２側の部位において、先端片５３に隣接する部位が連結部位５０´となっている。
【００１８】
図５に示すように、第１部材５の連結部位５０´と、第２部材の第３見込辺６４とは、縦枠２の長さ方向（高さ方向）に所定間隔（例えば、１５０ｍｍ）を存して複数箇所で溶接Ｗすることで、接続されている。
【００１９】
図４〜図６に示すように、第２部材６の上端縁、具体的には、第２見込辺６０、第２見付辺６１、折り返し辺６２、第３見付辺６３、第３見込辺６４、の各上端縁６００、６１０、６２０、６３０、６４０は、同じ第１の高さＨ１に位置している。
【００２０】
第１部材５の第１見付辺５１の上端縁５１０、辺５２の上端縁５２０は、第１の高さＨ１に位置している。第１部材５の第１見込辺５０の上端縁は、連結部位５０´を含む第１部位の上端縁５００において、第１の高さＨ１よりも低い第２の高さＨ２に位置している。第１部材５の第１見込辺５０の上端縁の残りの第２部位の上端縁５０００は、第１の高さＨ１に位置している。すなわち、図示の態様では、第１部材５の第１見込辺５０の第１側の端部の上枠３が載る部位（上端縁５０００）を除いて、第１見込辺５０の上端縁（上端縁５００）は、第２の高さＨ２に位置している。
【００２１】
第１見込辺５０を形成する板材の上端部位を切り欠くことで、第２高さＨ２に位置する上端縁５００を形成することができる。図５、図６には、切り欠いた部位が切り欠き部Ｃとして示してある。切り欠きの高さ、すなわち、第１高さＨ１と第２高さＨ２との差は、例えば、５ｍｍ以上である。
【００２２】
第１見込辺５０の第２側の先端の溝部Ｇの第１側面を形成する先端片５３（溝部Ｇの第１側面を形成する）の上端５３０は、第２高さＨ２よりもさらに低い高さにあり、上端縁５３０には上枠３の所定部位が載るようになっている。
【００２３】
図５、図７に示すように、第２部材６の下端縁、具体的には、第２見込辺６０、第２見付辺６１、折り返し辺６２、第３見付辺６３、第３見込辺６４、の各下端縁６０１、６１１、６２１、６３１、６４１は、同じ第３の高さＨ３に位置している。
【００２４】
第１部材５の第１見付辺５１の下端縁５１１、辺５２の下端縁５２１は、第３の高さＨ３に位置している。第１部材５の第１見込辺５０の下端縁は、連結部位５０´を含む第１部位の下端縁５０１において、第３の高さＨ３よりも高い第４の高さＨ４に位置している。第１部材５の第１見込辺５０の下端縁の残りの第２部位の下端縁５０１０は、第３の高さＨ３に位置している。すなわち、図示の態様では、第１部材５の第１見込辺５０の第２部材６との連結部位５０´を除いて、第１見込辺５０の下端縁は、第３の高さＨ３に位置している。
【００２５】
第１見込辺５０を形成する板材の下端部位を切り欠くことで、第４高さＨ４に位置する下端縁５０１を形成することができる。図５、図７には、切り欠いた部位が切り欠き部Ｃとして示してある。切り欠きの高さ、すなわち、第３高さＨ３と第４高さＨ４との差は、例えば、５ｍｍ以上である。
【００２６】
第１見込辺５０の第２側の先端の溝部Ｇの第１側面を形成する先端片５３の下端縁５３１は、第４高さＨ４よりもさらに高い高さにあり、下縁には下枠４の所定部位が当るようになっている。
【００２７】
上枠３は、上枠３の見込方向の第１側部位（図示の態様では、室内側部位）を構成する第１部材７と、上枠３の見込方向の第２側部位（図示の態様では、室外側部位）を構成する第２部材８と、の２部材から形成されている。
【００２８】
図３、図４に示すように、第１部材７は、見込方向に延びる第１水平辺７０と、第１水平辺７０の第１側の端部から見付方向に上方に延びる第１立ち上がり辺７１と、第１立ち上がり辺７１の上端から第１水平辺７０に離間対向するように折り返した水平辺７２と、を備えている。第１水平辺７０の第２側の端部を折り返して重ねることで溝部Ｇの下面７３が形成されている。上枠３に形成された溝部Gは、下面、上面、底面から断面視コ字形状を有している。
【００２９】
第２部材８は、見込方向に延びる第２水平辺８０と、第２水平辺８０の第２側の端部から見付方向に上方に延びる第２立ち上がり辺８１と、第２立ち上がり辺８１の端部から第２水平辺８０に離間対向するように折り返した水平辺８２と、を備えている。第２水平辺８０の第１側には断面視Ｌ形状の折り曲げ辺が一体形成されており、前記折り曲げ辺は、第２水平辺８０の第１側の端部から垂直方向に下方に延びる立ち下がり辺８３と、立ち下がり辺８３の先端から水平方向に第１側に延びる第３水平辺８４と、からなる。第２部材８の第２水平辺８０の第１側の部位が溝部Ｇの上面、第２部材８の立ち下がり辺８３が溝部Ｇの底面を形成するようになっている。
【００３０】
第１部材７と第２部材８とは、第２部材８の第３水平辺８４を、溝部Ｇの下面７３を残すようにして第１部材７の第１水平辺７０の第２側の部位に連結（溶接）することで、一体化されて上枠３を形成している。
【００３１】
下枠４は、下枠４の見込方向の第１側部位（図示の態様では、室内側部位）を構成する第１部材４０と、下枠４の見込方向の第２側部位（図示の態様では、室外側部位）を構成する第２部材４１と、の２部材から形成されている。下枠４に形成された溝部Gは、下面、上面、底面から断面視コ字形状を有している。
【００３２】
左右の縦枠２の上端と、上枠３の長さ方向端部との連結構造、左右の縦枠２の下端と、下枠４の長さ方向端部との連結構造は、従来の構造をそのまま用いることができ、また、ドア枠において各枠材同士の連結構造は当業者によく知られているので、詳細な説明は省略する。上枠、下枠の断面形状は、用いられる縦枠の断面形状に対応するように形成されることが当業者に理解される（図４、図８、図１１参照）。
【００３３】
縦枠２の他の実施形態を図８〜図１０を参照しつつ説明する。上述の実施形態と同一の要素には同一の参照番号が付してあり、同一の参照番号が付された要素の説明は、上述の記載を援用することができる。縦枠２の第２部材６の構成は、図４〜図７に示す第２部材６と同一である。縦枠２の第１部材５の構成は、図４〜図７の第１見込辺５０に対応する部位が、２つの見込辺５０Ａ、５０Ｂから形成される点において異なる。
【００３４】
より具体的には、第１部材５の第１見込辺５０は、見込方向に延びる第２側の見込辺５０Ａと、見込辺５０Ａの第１側の端部から見付方向に外方に延びる見付辺５０Ｃと、見付辺５０Ｃの端部から第１側に向かって見込方向に延びる見込辺５０Ｂと、からなる。第１部材５は、さらに、見込辺５０Ｂの第１側の端部から見付方向に外方に延びる第１見付辺（縦枠２の室内側見付面を形成する）５１と、第１見付辺５１の端部から第１見込辺５０に離間対向するように折り返した辺５２と、を備えている。見込辺５０Ａの第２側の端部を折り返して重ねることで溝部Ｇの第１側面となる先端片５３が形成されている。
【００３５】
第１部材５と第２部材６とは、第２部材６の第３見込辺６４を、先端片５３を残すようにして第１部材５の見込辺５０Ａの第２側の部位（連結部位５０´）の外面に連結することで、一体化されて縦枠２を形成している。
【００３６】
第１部材５の連結部位５０´と、第２部材の第３見込辺６４とは、縦枠２の長さ方向（高さ方向）に所定間隔（例えば、１５０ｍｍ）を存して複数箇所で溶接Ｗすることで、接続されている。
【００３７】
図９に示すように、第２部材６の上端縁、具体的には、第２見込辺６０、第２見付辺６１、折り返し辺６２、第３見付辺６３、第３見込辺６４、の各上端縁６００、６１０、６２０、６３０、６４０は、同じ第１の高さＨ１に位置している。
【００３８】
第１部材５の第１見付辺５１の上端縁５１０、辺５２の上端縁５２０は、第１の高さＨ１に位置している。第１部材５の第１見込辺５０の上端縁は、連結部位５０´を含む第１部位の上端縁５００（見込辺５０Ａの上端縁全体、見付辺５０Ｃの上端縁全体、見込辺５０Ｂの上端縁の部分）において、第１の高さＨ１よりも低い第２の高さＨ２に位置している。第１部材５の見込辺５０Ｂの上端縁の残りの第２部位の上端縁５０００は、第１の高さＨ１に位置している。すなわち、図示の態様では、第１部材５の見込辺５０Ｂの第１側の端部の上枠３が載る部位を除いて、第１見込辺５０の上端縁は、第２の高さＨ２に位置している。
【００３９】
第１見込辺５０（見込辺５０Ａ、見付辺５０Ｃ、見込辺５０Ｂ）を形成する板材の上端部位を切り欠くことで、第２高さＨ２に位置する上端縁５００を形成することができる。図９には、切り欠いた部位が切り欠き部Ｃとして示してある。切り欠きの高さ、すなわち、第１高さＨ１と第２高さＨ２との差は、例えば、５ｍｍ以上である。
【００４０】
見込辺５０Ａの第２側の先端の溝部Ｇの第１側面を形成する先端片５３の上端５３０は、第２高さＨ２よりもさらに低い高さにあり、上端縁５３０には上枠３の所定部位が載るようになっている。
【００４１】
図１０に示すように、第２部材６の下端縁、具体的には、第２見込辺６０、第２見付辺６１、折り返し辺６２、第３見付辺６３、第３見込辺６４、の各下端縁６０１、６１１、６２１、６３１、６４１は、同じ第３の高さＨ３に位置している。
【００４２】
第１部材５の第１見付辺５１の下端縁５１１、辺５２の下端縁５２１は、第１の高さＨ３に位置している。第１部材５の第１見込辺５０の下端縁は、連結部位５０´を含む第１部位の下端縁５０１（見込辺５０Ａの下端縁の部分）において、第３の高さＨ３よりも高い第４の高さＨ４に位置している。第１部材５の第１見込辺５０の下端縁の残りの第２部位（見込辺５０Ａの下端縁の部分、見付辺５０Ｃの下端縁全体、見込辺５０Ｂの下端縁全体）の下端縁５０１０は、第３の高さＨ３に位置している。すなわち、図示の態様では、第１部材５の第１見込辺５０の第２部材６との連結部位５０´を除いて、第１見込辺５０の下端縁は、第３の高さＨ３に位置している。
【００４３】
第１見込辺５０を形成する板材の下端部位を切り欠くことで、第４高さＨ４に位置する下端縁５０１を形成することができる。図１０には、切り欠いた部位が切り欠き部Ｃとして示してある。切り欠きの高さ、すなわち、第３高さＨ３と第４高さＨ４との差は、例えば、５ｍｍ以上である。
【００４４】
本実施形態の作用について説明する。図１、図２に示すように、ドア枠が建物躯体に取り付けられた状態において、ドア枠の周りにはモルタルが充填されており、建物躯体に作用する力は、モルタルを介してドア枠に伝達される。縦枠２の上端縁、下端縁はモルタルに接触している。
【００４５】
本実施形態では、縦枠２を第１部材５と第２部材６とから構成する。第１部材５の連結部位５０´と第２部材６の第３見込辺６４は高さ方向に間隔を設けた複数個所の溶接Ｗによって連結される。第２部材６の第２見込辺６０は、断面形状においてＬ形状の折り曲げ辺（見付辺６３、第３見込辺６４）を一体的に備えており、第１部材５のフラット状の第１見込辺５０よりも大きい強度を有し、変形し難い。縦枠２に想定を超える圧縮荷重が作用した場合を仮定すると、第１部材５の第１見込辺５０において、溶接Ｗ間の部位が変形してしまう可能性がある。第１見込辺５０が変形すると、先端の溝部Ｇの第１側面を形成する先端片５３が変形して、ドア枠の外観に影響を与えるおそれがある。
【００４６】
第１部材５の上端縁の所定部位（少なくとも連結部位５０´を含む部位）を切り欠いて、切り欠き部位の上端縁の高さを他の部位の高さよりも低くすることで、縦枠２の上端縁にかかる圧縮荷重を第２部材６へ逃がし、第１部材５にかかる荷重を軽減し、第１部材５の第１見込辺５０の変形を防止し、もって、第１見込辺５０の先端の溝部Ｇの第１側面を形成する先端片５３が変形することを可及的に防止する。
【００４７】
さらに、第１部材５の下端縁の所定部位（少なくとも連結部位５０´を含む部位）を切り欠いて、切り欠き部位の下端縁の高さを他の部位の高さよりも高くすることで、縦枠２の下端縁に下方からかかる反力を第２部材６へ逃がし、第１部材５にかかる力を軽減し、第１部材５の第１見込辺５０の変形を防止し、もって、第１見込辺５０の先端の溝部Ｇの第１側面を形成する先端片５３の変形を可及的に防止する。
【符号の説明】
【００４８】
２  縦枠
５  第１部材
５０  第１見込辺
５３  先端片
５０´  連結部位
６  第２部材
６０  第２見込辺
６３  第３見付辺
６４  第３見込辺
【図１】
2014047503.tif 000003
【図２】
2014047503.tif 000004
【図３】
2014047503.tif 000005
【図４】
2014047503.tif 000006
【図５】
2014047503.tif 000007
【図６】
2014047503.tif 000008
【図７】
2014047503.tif 000009
【図８】
2014047503.tif 000010
【図９】
2014047503.tif 000011
【図１０】
2014047503.tif 000012
【図１１】
2014047503.tif 000013